(57)【要約】【課題】折り畳む際にフラップの幅方向への広がりを抑え、コンパクトに個装された吸収性物品を提供する。【解決手段】吸収性物品と、吸収性物品を個装する包装シートとを有する個装吸収性物品であって、吸収性物品は、装着時に装着者の体液排出口に対応する領域を含む中央領域と、中央領域の後方に隣接し、吸収性物品の後端までの後方領域とを有し、吸収性物品は、前記後方領域において、本体の側方に突出するヒップホールドフラップを有し、ヒップホールドフラップの外形は、曲率半径５〜５００ｍｍの凸部を含み、ヒップホールドフラップの裏面にズレ止め材が設けられており、後方領域は、ヒップホールドフラップを略前後方向に延びる前後方向折り線にて表面シート側に折った後に、ズレ止め材及び凸部の頂点を通る略幅方向に延びる幅方向折り線にて表面シート側に折ることによって折り畳まれている。【選択図】図３Ｂ
2020048947.tif 000002
【特許請求の範囲】
【請求項１】
不透液性の裏面シート、吸収体、及び透液性の表面シートがこの順に積層された本体を備え、前記本体は、前後方向に所定の長さ及び該前後方向と直交する方向に所定の幅を有する吸収性物品と、
前記吸収性物品を個装する包装シートと
を有する個装吸収性物品であって、
吸収性物品は、装着時に装着者の体液排出口に対応する領域を含む中央領域と、前記中央領域の後方に隣接し、前記吸収性物品の後端までの後方領域とを有し、
前記吸収性物品は、前記後方領域において、本体の側方に突出するヒップホールドフラップを有し、前記ヒップホールドフラップの外形は、曲率半径５〜５００ｍｍの凸部を含み、
前記ヒップホールドフラップの裏面にズレ止め材が設けられており、
前記後方領域は、前記ヒップホールドフラップを略前後方向に延びる前後方向折り線にて前記表面シート側に折った後に、前記ズレ止め材及び前記凸部の頂点を通る略幅方向に延びる幅方向折り線にて前記表面シート側に折ることによって折り畳まれている、個装吸収性物品。
【請求項２】
前記頂点が、後方領域の、前記前後方向の中央より後方に位置する、請求項１に記載の個装吸収性物品。
【請求項３】
前記本体に易屈曲部が形成されており、前記幅方向折り線が前記易屈曲部を通る、請求項１又は２に記載の個装吸収性物品。
【請求項４】
前記易屈曲部は、前記吸収体の厚みを小さくした部分を含む、請求項３に記載の個装吸収性物品。
【請求項５】
前記ヒップホールドフラップを前記前後方向折り線にて前記表面シート側に折った後、露出した前記ズレ止め材に重なるように配置された剥離シートをさらに有し、
前記剥離シートは、前記幅方向折り線にて前記ヒップホールドフラップと共に折り返されている、請求項１から４のいずれか一項に記載の個装吸収性物品。
【発明の詳細な説明】
【技術分野】
【０００１】
本発明は、個装吸収性物品に関する。
【背景技術】
【０００２】
生理用ナプキン、パンティライナー、失禁パッド等の吸収性物品として、吸収体を透液性の表面シートと不透液性の裏面シートとの間に挟んでなるものが知られている。このような吸収性物品の中には、長時間での使用や、短時間であっても大量の体液が排出される状況に対応できる構成として、吸収性物品本体を後方に延長し、さらに後方の両側部から突出するフラップを設けて、後方の領域を拡張したものがある。
【０００３】
吸収性物品は、包装シートによって個別に包装された個装体として提供されるのが一般的である。ここで、上述のような後方領域を拡張した吸収性物品の場合、両側部から突出したフラップを本体側へ折った後、前後方向に三つ折り又は四つ折りにされて、包装されることが多い（例えば、特許文献１の図４）。
【先行技術文献】
【特許文献】
【０００４】
【特許文献１】特開２００３−３３９７６４号公報
【発明の概要】
【発明が解決しようとする課題】
【０００５】
しかしながら、特許文献１に記載のような構成では、後方領域を前後方向に折り返す際、幅方向に折り返されていたフラップが、幅方向外側へと広がってしまうことがある（図１（ａ）及び（ｂ））。その場合、広がったフラップが包装シートからはみ出たり、包装シートのシール位置と重なってしまう可能性がある。よって、そのような可能性を考慮して包装シートの幅を大きくして、個装体のサイズが大きくなってしまうことがある。よって、後方領域を拡張した吸収性物品において、フラップが幅方向に広がらないよう折り畳むことのできる構成が求められている。
【０００６】
上記の点に鑑みて、本発明の一態様は、折り畳む際にフラップの幅方向への広がりを抑え、コンパクトに個装された吸収性物品を提供することを課題とする。
【課題を解決するための手段】
【０００７】
本発明の第一の態様は、不透液性の裏面シート、吸収体、及び透液性の表面シートがこの順に積層された本体を備え、前記本体は、前後方向に所定の長さ及び該前後方向と直交する方向に所定の幅を有する吸収性物品と、前記吸収性物品を個装する包装シートとを有する個装吸収性物品であって、吸収性物品は、装着時に装着者の体液排出口に対応する領域を含む中央領域と、前記中央領域の後方に隣接し、前記吸収性物品の後端までの後方領域とを有し、前記吸収性物品は、前記後方領域において、本体の側方に突出するヒップホールドフラップを有し、前記ヒップホールドフラップの外形は、曲率半径５〜５００ｍｍの凸部を含み、前記ヒップホールドフラップの裏面にズレ止め材が設けられており、前記後方領域は、前記ヒップホールドフラップを略前後方向に延びる前後方向折り線にて前記表面シート側に折った後に、前記ズレ止め材及び前記凸部の頂点を通る略幅方向に延びる幅方向折り線にて前記表面シート側に折ることによって折り畳まれている。
【０００８】
上記第一の態様における吸収性物品は、後方領域において本体の側方に突出するヒップホールドフラップを有する。このようなヒップホールドフラップを備えた吸収性物品は、ヒップホールドフラップを前後方向折り線にて幅方向に表面シート側に折った後、幅方向折り線にて前後方向に表面シート側に折り畳むことによって個装吸収性物品とすることができる。このとき、従来の吸収性物品１ａでは、ヒップホールドフラップＨＦａ、ＨＦａが幅方向外側に広がってしまう場合があり、包装シート２０ａからはみ出たりする可能性がある（図１（ａ）及び（ｂ））。特に、曲率半径５〜５００ｍｍの凸部を含む外形を有するヒップホールドフラップは、凸部が比較的動きやすく、折り畳む際にズレやすいので、ヒップホールドフラップが幅方向外側に広がる可能性は高い。
【０００９】
これに対し、本態様では、幅方向折り線が、ヒップホールドフラップの裏面に設けられたズレ止め材を通るようになっている。ズレ止め材が設けられている部分は、ズレ止め材が設けられていない部分に比して厚みが大きく、より硬く、剛性が高くなっている。そのため、ズレ止め材が設けられている部分及びその周辺の部分は、折り曲げられてもその折りに付随して生じ得る変形が生じにくい。よって、後方領域を幅方向折り線にて前後方向に折る際に、ヒップホールドフラップが幅方向へ広がること（図１（ｂ））を抑制できる。
【００１０】
また、上記の幅方向折り線がヒップホールドフラップの凸部の頂点を通るので、後方領域は、幅方向の折返し幅が大きい位置で前後方向に折り曲げられる。そのため、折り曲げる際にヒップホールドフラップの凸部はさらに動きにくくなり、幅方向へ広がりにくくなる。
【００１１】
このように、本態様によれば、後方領域を前後方向へ折り畳む際に、折り返されていたヒップホールドフラップの幅方向外側への広がりを抑えることができる。そのため、フラップ部分が包装シートからはみ出たり、包装シートのシール位置に重なってしまったりすることを防止できる。よって、ヒップホールドフラップの幅方向外側へ広がり部分を考慮して、包装シートの幅を大きく構成する必要がなくなる。
【００１２】
本発明の第二の態様では、前記頂点が、後方領域の、前記前後方向の中央より後方に位置する。
【００１３】
上記第二の態様によれば、ヒップホールドフラップが、凸部の頂点が後方領域の後方に位置する外形を有するので、ヒップホールドフラップの幅が大きい部分が脚周りに当たって違和感を生じさせることなく、後方領域を臀部の形に沿わせてあてがうことができる。また、後方領域において幅方向に延びる折りジワがついても、その折りジワは、後方領域の中央より後方にできる、すなわち臀部の溝からより離れて位置することになるので、折りジワによって装着感が損なわれることを防止することができる。
【００１４】
本発明の第三の態様では、前記本体に易屈曲部が形成されており、前記幅方向折り線が前記易屈曲部を通る。
【００１５】
上記第三の態様によれば、幅方向折り線を通る位置に易屈曲部が形成されているので、吸収性物品を幅方向折り線でより容易に折ることができる。また、折られた後の状態をより安定的に保持することができるので、吸収性物品の折畳み工程において吸収性物品に振動等が加わった場合でも、ヒップホールドフラップが変形しにくく幅方向外側に広がることを防止することができる。
【００１６】
本発明の第四の態様では、前記易屈曲部は、前記吸収体の厚みを小さくした部分を含む。
【００１７】
上記第四の態様によれば、易屈曲部の形成が比較的容易になる。
【００１８】
本発明の第五の態様では、前記ヒップホールドフラップを前記前後方向折り線にて前記表面シート側に折った後、露出した前記ズレ止め材に重なるように配置された剥離シートをさらに有し、前記剥離シートは、前記幅方向折り線にて前記ヒップホールドフラップと共に折り返されている。
【００１９】
上記第五の態様によれば、前後方向折り線にて幅方向に折り返されたフラップの上から、剥離シートがフラップを面状に押さえることができる。これにより、後方領域を幅方向折り線にて前後方向に折った際、フラップの幅方向への広がりを抑える効果を向上させることができる。
【発明の効果】
【００２０】
本発明の一態様によれば、折り畳む際にフラップの幅方向への広がりを抑え、コンパクトに個装された吸収性物品を提供することができる。
【図面の簡単な説明】
【００２１】
【図１】従来の吸収性物品が折り畳まれる工程の一部を示す図である。
【図２Ａ】本発明の一形態における吸収性物品の部分破断図である。
【図２Ｂ】図２ＡのＩ−Ｉ線断面図を示す。
【図３Ａ】本発明の一形態による個装吸収性物品を形成する工程を示す図である。
【図３Ｂ】本発明の一形態による個装吸収性物品を形成する工程を示す図である。
【図３Ｃ】本発明の一形態による個装吸収性物品を形成する工程を示す図である。
【図３Ｄ】本発明の一形態による個装吸収性物品を形成する工程を示す図である。
【図３Ｅ】本発明の一形態による個装吸収性物品を形成する工程を示す図である。
【図４】本発明の一形態における吸収性物品の変形例を示す。
【図５】本発明の一形態における吸収性物品の変形例を示す。
【発明を実施するための形態】
【００２２】
以下、図面を参照しながら、本発明の実施形態を詳説する。なお、各図面において、特に説明がない限り、同一の又は対応する構成については同一の符号を付して説明を省略する場合がある。また、図面は、発明の理解を助けるための模式的なものである。
【００２３】
（吸収性物品の基本構造）
図２Ａに、本発明の一形態による吸収性物品１の部分破断平面図を示す。また、図２Ｂに、吸収性物品１のＩ−Ｉ線断面図を示す。図２Ａ及び図２Ｂに示すように、吸収性物品１は、不透液性の裏面シート２と、透液性の表面シート３と、これら両シート２、３間に設けられた吸収体４とを有する本体（吸収性物品本体）８とを備えている。吸収性物品１の装着時には、表面シート３側が肌に触れる側（肌側若しくは表面側）となり、裏面シート２側が下着に固定される側（下着側若しくは裏面側）となる。吸収性物品１の表面シート３側の両側部には、吸収体４の幅方向の両縁部と平面視で重なるように、前後方向に延びるサイド不織布７、７が設けられていてもよい。
【００２４】
図２Ａに示すように、本体８は、前後方向に所定の長さを有し、前後方向に直交する幅方向に所定の幅を有しており、全体として前後方向に細長い形状を有する。本体８の幅は、図示の例では略一定となっているが、前後方向（長手方向）にわたって変化していてもよい。図２Ａに示すように、吸収性物品１は、前後方向に延びる中心線（前後方向中心線）ＣＬに対して略線対称の形状を有することができる。また、吸収性物品１の構成（吸収体４の厚みや密度等を含む）は、中心線を対称軸として略対称であってもよいし、非対称であってもよい。
【００２５】
吸収性物品１における前後方向の長さ（本体８の全長）は、特に限定されないが、２５０〜４５０ｍｍとすることができ、より好ましくは２７０〜３８０ｍｍとすることができる。また、本体８の幅方向の長さ（吸収体４の幅）も、特に限定されないが、５０〜２００ｍｍとすることができ、好ましくは７０〜１２０ｍｍとすることができる。
【００２６】
吸収性物品１は、装着時に装着者の膣口等の体液排出口に対応する部分（体液排出口対応部）Ａを有しており、体液排出口対応部Ａは中心Ａｃを有している。中心Ａｃは、長方向中心線ＣＬ上にあり、体液排出口対応部Ａの前後方向の長さの中央に位置している。中心Ａｃの位置は、例えば、吸収性物品１の前端から７０〜１３０ｍｍの位置とすることができる。また、体液排出口対応部Ａは、長さ（前後方向の長さ）が１０〜５０ｍｍ、好ましくは２０〜４０ｍｍ程度であり、体液排出口対応部Ａの幅（幅方向の長さ）が５〜４０ｍｍ、好ましくは１０〜３０ｍｍ程度の領域とすることができる。なお、図示の体液排出口対応部Ａの形状及び大きさは、説明を容易にするための例示にすぎない。
【００２７】
吸収性物品１は、上述の体液排出口対応部Ａが含まれる中央領域Ｍと、中央領域Ｍの前方にある前方領域Ｆと、中央領域Ｍの後方にある後方領域Ｒとを有する。中央領域Ｍは、装着時に装着者の股間にほぼ対応する領域であり、後方領域Ｒは、装着時に装着者の臀部にほぼ対応する領域である。
【００２８】
中央領域Ｍは、その両側方から延びる、吸収性物品１を装着の際に下着に確実に固定するためのウィング状フラップＷ、Ｗを有していてよい。前方領域Ｆは、ウィング状フラップＷの前方の起点となる位置又はそれより前方から前端縁までの領域であり、後方領域Ｒは、ウィング状フラップＷの後方の起点となる位置又はそれより後方から後端縁までの領域とすることができる。ウィング状フラップＷ、Ｗが設けられている場合、体液排出口対応部Ａの中心Ａｃの前後方向での位置は、ウィング状フラップＷ、Ｗの側方の端縁の前後方向長さの中点の位置付近となり得る。
【００２９】
吸収性物品１はウィング状フラップＷ、Ｗを有しているが、吸収性物品１はウィング状フラップＷ、Ｗのない形態とすることができる。その場合、ウィング状フラップＷ、Ｗを形成すると仮定した場合に、ウィング状フラップＷ、Ｗ前方の起点となる位置又はその付近から前方の領域を前方領域Ｆとし、ウィング状フラップＷ、Ｗの後方の起点となる位置か又はその付近から後方の領域を後方領域Ｒとすることができる。
【００３０】
裏面シート２としては、ポリエチレンやポリプロピレン等のオレフィン系樹脂シート等の少なくとも遮水性を有するシート材を用いることができる。ポリエチレンシート等に不織布を積層したラミネート不織布や、さらには防水フィルムを介在させて実質的に不透液性を確保した不織布の積層シート等を用いることができる。また、ムレ防止の観点から透湿性を有するものが用いられることがさらに望ましい。このような遮水・透湿性シート材としては、ポリエチレンやポリプロピレン等のオレフィン系樹脂中に無機充填剤を溶融混練してシートを成形した後、一軸又は二軸方向に延伸することにより得られる微多孔性シート等を用いることができる。
【００３１】
表面シート３は、経血、おりもの、尿等の体液を速やかに透過させる透液性のシートである。表面シート３としては、有孔又は無孔の不織布や多孔性プラスチックシート等が好適に用いられる。不織布を構成する素材繊維としては、例えば、ポリエチレン、ポリプロピレン等のオレフィン、ポリエステル、ポリアミド等の合成繊維、レーヨン、キュプラ等の再生繊維、及びこれらの混紡繊維、並びに綿等の天然繊維を単独で又は２種以上組み合わせて用いることができる。また、不織布の加工法としては、スパンレース法、スパンボンド法、サーマルボンド法、メルトブローン法、ニードルパンチ法等が挙げられる。これらの加工法のうち、スパンレース法は柔軟性、スパンボンド法はドレープ性に富む不織布を製造できる点で好ましく、サーマルボンド法は嵩高でソフトな不織布を製造できる点で好ましい。また、融点の高い繊維を芯とし融点の低い繊維を鞘とした芯鞘型繊維、サイドバイサイド型繊維、分割型繊維等の複合繊維を用いることもできる。
【００３２】
吸収体４は、体液を吸収して保持できる材料であれば限定されないが、綿状パルプと吸水性ポリマーとを含むことが好ましい。吸水性ポリマーとしては、高吸水ポリマー粒状粉（ｓｕｐｅｒａｂｓｏｒｂｅｎｔ  ｐｏｌｙｍｅｒ（ＳＡＰ））、高吸水ポリマー繊維（ｓｕｐｅｒａｂｓｏｒｂｅｎｔ  ｆｉｂｅｒ（ＳＡＦ））、及びこれらの組合せを用いることができる。パルプとしては、木材から得られる化学パルプ、溶解パルプ等のセルロース繊維、レーヨン、アセテート等の人工セルロース繊維からなるものが挙げられる。化学パルプの原料材としては、広葉樹材、針葉樹材等が用いられるが、繊維長が長いこと等から針葉樹材が好適に使用される。
【００３３】
また、吸収体４には合成繊維を混合してもよい。合成繊維としては、ポリエチレン、ポリプロピレン等のポリオレフィン、ポリエチレンテレフタレート、ポリブチレンテレフタレート等のポリエステル、ナイロン等のポリアミド、及びこれらの共重合体を使用することができ、これらのうちの２種を混合して使用することもできる。また、融点の高い繊維を芯とし融点の低い繊維を鞘とした芯鞘型繊維、サイドバイサイド型繊維、分割型繊維などの複合繊維も用いることができる。なお、疎水性繊維を親水化剤で表面処理し、体液に対する親和性を付与したものを用いることもできる。吸収体４は、積繊又はエアレイド法によって製造されたものが好ましい。
【００３４】
吸収体４の厚みは、０．３〜３０ｍｍの範囲内とすることができ、１．０〜１５ｍｍの範囲であると好ましい。吸収体４は全体として、全面にわたり均一な厚みを有していなくともよく、体液排出口対応部Ａ及びその近傍の領域を膨出させた構造とすることもできる。
【００３５】
吸収体４は、その形状保持等のために、クレープ紙又は不織布等からなる被包シートによって包まれていてもよい。被包シートによって吸収体層が包まれていることによって、吸収体４のよれや割れを防止することができる。被包シートとしては、無着色（すなわち、白色）のクレープ紙や不織布を用いることもできるし、着色されたものを用いることもできる。着色された被包シートを用いた場合、被包シートの色は、表面シート３側からも薄い色として反映され得る。そのため、排出された体液の色を、その反映された被包シート９の色に紛れさせて目立たなくすることができる。被包シートは、例えば、体液の色の補色に着色することができる。例えば、経血の吸収を目的として構成された吸収性物品（生理用ナプキン等）においては、被包シートを、赤色の補色である緑色に着色することができる。
【００３６】
サイド不織布７としては、体液の浸透を防止する、或いは肌触り感を高める等の目的に応じて、適宜の撥水処理又は親水処理を施した不織布素材を用いることができる。その不織布素材は、例えば、天然繊維、合成繊維又は再生繊維等であってよい。サイド不織布７の撥水処理には、シリコン系、パラフィン系等の撥水剤を用いることができる。
【００３７】
本体８の前方及び後方の端縁部では、裏面シート２と表面シート３との外縁がホットメルト等の接着剤やヒートシール、超音波シール等の接着手段によって接合されている。また、本体８の側方に張り出したサイド不織布７、７と裏面シート２とが上記接着手段の少なくとも１つによって接合されている。これにより、中央領域Ｍにおいては、上述のウィング状フラップＷ、Ｗを、後方領域Ｒにおいては、後述のヒップホールドフラップＨＦ、ＨＦを形成することができる。
【００３８】
なお、本体８には、圧搾溝が設けられていてよい。圧搾溝は、表面シート３と吸収体４とを積層させた後、両者をあわせて圧搾して得られる、表面シート３側から裏面シート２側に窪む圧搾溝（フィットエンボスともいう）である。圧搾溝は、吸収体４の上に表面シート３を積層させて得られた積層体を、一対の加圧ロールの間に通過させることによって形成することができる。例えば、積層体の表面シート３側に凸状ロールが、吸収体４側に平坦なロールがそれぞれ配置されるようにして、両ロールによって加圧することができる。
【００３９】
（ヒップホールドフラップ）
図２Ａに示すように、本形態における吸収性物品１は、後方領域Ｒが前後方向及び幅方向に拡張されたものである。より具体的には、本体８が前後方向に延長されており、本体８の両側方にそれぞれ延在するヒップホールドフラップＨＦ、ＨＦが設けられている。ヒップホールドフラップＨＦ、ＨＦは可撓性を有しているので、臀部の丸みに沿わせて当てがうことができ、また臀部の動きにも追従させることができる。図２Ａ及び図２Ｂに示すように、本形態では、ヒップホールドフラップＨＦ、ＨＦは、サイド不織布７、７と裏面シート２とが貼り合されて形成された、吸収体が含まれていない構成となっている。しかし、臀部の丸みに沿わせることができる可撓性を有するのであれば、ヒップホールドフラップＨＦ、ＨＦには薄い吸収体が含まれていてもよい。
【００４０】
このように、本形態における吸収性物品１は後方領域Ｒが拡張されたものである。これにより、後方領域Ｒにおける体液の漏れを効果的に防止することができる。そのため、長時間での使用、或いは短時間であっても大量の体液の排出される状況に対応できるので、吸収性物品１は、長時間用又は夜用の生理用ナプキンとして好適に用いることができる。
【００４１】
図２Ａに示すように、ヒップホールドフラップＨＦの外形は、凸部１１を有しており、この凸部１１は曲線状である。すなわち、凸部１１は、平面視で、曲率中心をヒップホールドフラップＨＦ上に有するような凸形状の輪郭を有する。凸部１１の頂点１１Ｐにおける曲率半径は５〜５００ｍｍ、好ましくは３５〜２００ｍｍであってよい。このように所定の曲率半径の凸部を有する外形形状を有することにより、ヒップホールドフラップＨＦは凸部の両端を基点して動きやすくなっており、平面状のヒップホールドフラップＨＦを臀部の曲面に合わせて変形しやすくなっている。そのため、丸みのある臀部に後方領域Ｒを密着させることができ、後方領域Ｒにおける体液の漏れを防止する効果を向上させることができる。また、輪郭が曲線状であることから、ヒップホールドフラップＨＦ、ＨＦの縁部が肌に当たる際の違和感も低減することができる。
【００４２】
図示の形態では、ヒップホールドフラップＨＦの外形は、１つの凸部を有する形状となっているが、ヒップホールドフラップＨＦの凸部は、２以上であってもよい。すなわち、ヒップホールドフラップＨＦの外形が凹凸を有していてもよい。その場合も、各々の凸部が上記範囲の曲率半径を有することが好ましい。
【００４３】
吸収性物品１は、ヒップホールドフラップＨＦが凸部１１を有する位置（凸部が２以上ある場合には幅方向外側に最も張り出した凸部がある位置）で、最大幅を有し得る。この最大幅は、７０〜２００ｍｍであると好ましく、１００〜１６０ｍｍであるとより好ましい。
【００４４】
また、凸部１１の位置（凸部が２以上ある場合には最大幅の位置）は、後方領域Ｒの前後方向中央の位置から後方の範囲にあることが好ましい。これにより、ヒップホールドフラップＨＦ、ＨＦの幅広の部分を、臀部の溝（臀裂）が浅くなり始める位置から臀部の溝が終わる位置付近に配置することができる。これにより、臀部の溝を伝って後方に移動してきた体液が幅方向外側に漏れることを防止することができる。また、ヒップホールドフラップＨＦ、ＨＦの幅広の部分を、脚からの圧力がかかりやすい位置から遠ざけることができるので、ヒップホールドフラップＨＦ、ＨＦが脚周りに当たって違和感を生じさせることを防止することができる。
【００４５】
（ズレ止め材）
本形態における吸収性物品１は、裏面シート２側に、装着時に吸収性物品１を下着に固定するためのズレ止め材９を備えている。ズレ止め材９は、本体８、ウィング状フラップＷ、Ｗ、及びヒップホールドフラップＨＦ、ＨＦの裏面シート２側に配置されていることが好ましい。図２Ａには、ヒップホールドフラップＨＦ、ＨＦの裏面シート２側に配置されたズレ止め材９を図示し、その他のズレ止め材の図示を省略する。
【００４６】
ズレ止め材９に用いられる材料は、吸収性物品１が下着からズレないように機能するものであれば、特に限定されない。ズレ止め材９は、粘着性又は非粘着性の層として形成することができる。粘着剤層としては、例えば、スチレン系ポリマー、粘着付与剤、可塑剤及びこれらの組合せを主成分とするものが好適に使用される。スチレン系ポリマーとしては、スチレン−エチレン−ブチレン−スチレンブロック共重合体、スチレン−ブチレン−スチレンブロック共重合体、スチレン−イソブチレン−スチレン共重合体、スチレン−ブタジエン−スチレンブロック共重合体等が挙げられ、これらのうち１種又は２種以上を使用することができる。この中でも熱安定性が良好であるという点で、スチレン−ブタジエン−スチレンブロック共重合体が好ましい。
【００４７】
また、粘着付与剤及び可塑剤としては、常温で固体のものを用いることができる。粘着付与剤としては、例えば、Ｃ５系石油樹脂、Ｃ９系石油樹脂、ジシクロペンタジエン系石油樹脂、ロジン系石油樹脂、ポリテルペン樹脂、テルペンフェノール樹脂等が挙げられる。可塑剤としては、例えば、リン酸トリフレシル、フタル酸ジブチル、フタル酸ジオクチル等のモノマー可塑剤の他、ビニル重合体やポリエステル等のポリマー可塑剤が挙げられる。
【００４８】
非粘着性の層として形成されるズレ止め材９の材料としては、天然ゴム、スチレン−ブタジエンゴム、シリコーンゴム、クロロプレンゴム、ブチルゴム、スチレン−イソプレンゴム等をベースポリマーとする材料を単独で又は組み合わせて用いることができる。これらの中でも、シリコーンゴムあるいはＳＩＳ、ＳＢＳの水添タイプエラストマーが好ましい。また、非粘着性のズレ止め材９として、メカニカルファスナーのフック材を用いることもできる。フックの形状としては、下着に係止されるものであれば特に制限はなく、鈎状、キノコ状等、各種公知の形状のものを用いることができる。
【００４９】
図２Ａに示すように、ズレ止め材９は、ヒップホールドフラップＨＦ、ＨＦの長手方向沿って、すなわち吸収性物品１の前後方向に沿って設けることができる。よって、ズレ止め材９は、図２Ａに示すような前後方向に長い細長形状を有していることが好ましい。
【００５０】
ズレ止め材９の長さ（前後方向長さ）は、１０〜１００ｍｍであってよく、好ましくは１５〜５０ｍｍとすることができる。また、ズレ止め材９の幅（幅方向長さ）は、０．３〜２０ｍｍであってよく、好ましくは０．５〜１５ｍｍとすることができる。
【００５１】
ヒップホールドフラップＨＦ、ＨＦにおけるズレ止め材９は、連続する１つの領域として設けられていてもよいし、前後方向及び／又は幅方向に不連続になっている複数の領域として設けられていてもよい。
【００５２】
（個装吸収性物品）
本発明の一形態は、簡易に且つ衛生的に携帯することが可能であるように個別に包装された吸収性物品（個装吸収性物品）である。個装吸収性物品は、上述の吸収性物品１と包装シート２０とを有している。個装吸収性物品は、吸収性物品１を包装シート２０に載置した後、吸収性物品１が露出しないように吸収性物品１上に包装シート２０を折り重ねるようにして包装するか、又は包装シート２０を吸収性物品１とともに折り畳むことによって包装することができる。
【００５３】
包装シート２０は、吸収性物品１を包み込むことができる形状及び大きさであれば、構成は特に限定されない。例えば、包装シート２０は、後述するように平面視で長方形であってよい（図３Ａ）。
【００５４】
包装シート２０は、ポリプロピレン、ポリエチレン等のポリオレフィン系フィルム、ポリエステル、ポリビニルアルコール等のフィルムや、不織布、ラミネート不織布（ポリラミ不織布を含む）等が用いられる。印刷によるデザインを重視するのであればフィルムが好ましく、風合いやソフト感等を重視するのであれば不織布等が好ましい。
【００５５】
（吸収性物品の折り畳み）
図３Ａ〜図３Ｅを参照して、曲率半径５〜５００ｍｍの凸部を含む外形を有するヒップホールドフラップＨＦ、ＨＦを備えた上述の吸収性物品１（図２Ａ及び図２Ｂ）の、折り畳み工程及び個装工程について説明する。説明を簡単にするために、図３Ａ〜図３Ｅにおいては、吸収性物品１の構造の詳細を省略する。
【００５６】
図３Ａは、吸収性物品１を、裏面シート２側が包装シート２０に対向するような向きで包装シート２０上に載置した上面図（表面シート３側から見た図）を示す。吸収性物品１を折り畳む場合、まず、本体８の両側方に設けられたヒップホールドフラップＨＦ、ＨＦを、略前後方向に延びる前後方向折り線Ｌｙ、Ｌｙにてそれぞれ、表面シート３側に折り返す。
【００５７】
なお、本明細書において、略前後方向とは、前後方向に延びる、すなわち吸収性物品１の前後方向中心線ＣＬに平行な方向であってもよいし、前後方向中心線ＣＬから１０°以下、好ましくは５°以下程度の角度をなす方向であってもよい。略幅方向についても同様であり、幅方向に延びる、すなわち前後方向中心線ＣＬに直交する方向に平行な方向であってもよいし、幅方向から１０°以下、好ましくは５°以下程度の角度をなす方向であってもよい。
【００５８】
前後方向折り線Ｌｙ、Ｌｙは、吸収体４が配置されている領域を避けるように、ヒップホールドフラップＨＦ、ＨＦ上を通るよう延びている。そして、図３Ａに示すように、前後方向折り線Ｌｙ、Ｌｙは、ヒップホールドフラップＨＦ、ＨＦの裏面シート２側に配置されたズレ止め材９、９上を通らないことが好ましい。これにより、ヒップホールドフラップＨＦ、ＨＦを幅方向に折り畳みやすくすることができる。また、その後に行う前後方向の折り畳みの際に、厚みが過度に大きくなり、曲げ剛性が過度に大きくなって折り畳みにくくなることを防ぐことができる。なお、前後方向折り線Ｌｙ、Ｌｙがズレ止め材９、９上を通るようにすることもでき、その場合には、ヒップホールドフラップＨＦ、ＨＦを折り位置に沿って安定的に折り曲げることができ、折った後の形状も保持されやすくなる。
【００５９】
図３Ｂに、前後方向折り線Ｌｙ、ＬｙにてヒップホールドフラップＨＦ、ＨＦを折り返した後の状態を示す。この状態では、ヒップホールドフラップＨＦ、ＨＦは、包装シート２０の幅方向端部から内側に配置されている。
【００６０】
図３Ｂに示す状態から、吸収性物品１の後方領域Ｒを前後方向に、包装シート２０とともに折り畳んでいく。まず、図３Ｂに示すように、略幅方向に延びる第１幅方向折り線Ｌｘ１で、吸収性物品１の後端を含む部分を表面シート３側に前方に向かって折り返す。このとき、第１幅方向折り線Ｌｘ１が、ヒップホールドフラップＨＦ、ＨＦに設けられたズレ止め材９、９を通るように折畳みが行われる。ズレ止め材９が設けられた部分は、設けられていない部分に比して厚みが大きく、より硬く、より剛性が高くなっている。そのため、ズレ止め材９が設けられている部分及びその周辺の部分は、折り曲げられてもその折りに付随して生じ得る変形、例えばフラップの撓みや、幅方向に折り返された位置からのズレ等が生じにくい。
【００６１】
本形態のヒップホールドフラップＨＦは、曲率半径５〜５００ｍｍの凸部を有する外形を有しており、折り畳みの際に凸部が独立して動きやすくなっている。しかし、このような形状であっても、第１幅方向折り線Ｌｘ１がズレ止め材９を通るように折り畳むことで、ヒップホールドフラップＨＦが撓みにくく、また幅方向に折り返された位置を保持しやすいため、後方領域を前方へ折り畳む際にヒップホールドフラップＨＦが幅方向へ広がってしまうこと（図１（ａ）及び（ｂ））を防止又は抑制することができる。
【００６２】
第１幅方向折り線Ｌｘ１は、ズレ止め材９の前後方向のどの位置を通ってもよいが、ズレ止め材９の前後方向の中央を通っていると、第１幅方向折り線Ｌｘ１の前方及び後方の可撓性をバランス良く低減させることができるので、第１幅方向折り線Ｌｘ１での折返しの際にヒップホールドフラップＨＦが幅方向に広がりにくい。
【００６３】
なお、図示の形態では、ズレ止め材９の形状は、前後方向に長辺を有する長方形であるが、長方形以外の四角形であってもよく、楕円形であってもよい。また、ズレ止め材９の外形形状は、ヒップホールドフラップＨＦの外形の輪郭に沿った形状とすることもできる。すなわち、ズレ止め材９の幅方向外側の縁部が、ヒップホールドフラップＨＦの縁部から一定距離の湾曲を保ちながら湾曲する形状とすることもできる。
【００６４】
さらに、本形態では、第１幅方向折り線Ｌｘ１は、ヒップホールドフラップＨＦの凸部１１の頂点１１Ｐを通る。また、第１幅方向折り線Ｌｘ１は、略幅方向に延びる線であり、２つのヒップホールドフラップＨＦ、ＨＦのどちらか一方又は両方の凸部１１の頂点１１Ｐを通るものであってよい。本明細書において、「凸部の頂点を通る」とは、凸部の頂点及び近傍を通ることを指し、実際の製品においては、凸部の頂点から前方又は後方に好ましくは８ｍｍ以下、より好ましくは５ｍｍ以下ずれた位置にて折り目が形成されることを指す。
【００６５】
図３Ｂに示す前後方向の折り曲げを、幅方向の折返し幅が大きい位置（ヒップホールドフラップＨＦの折り返された部分が幅方向に長く延びている位置）で行うことができる。これにより、第１幅方向折り線Ｌｘ１での折り曲げの際には、ヒップホールドＨＦの第１幅方向折り線Ｌｘ１の前後の部分が動きにくくなり、ヒップホールドフラップＨＦが幅方向に広がってしまうことを防止することができる。
【００６６】
このように、本形態では、第１幅方向折り線Ｌｘ１が、ズレ止め材９を通り且つヒップホールドフラップＨＦの凸部１１の頂点１１Ｐを通るようになっているので、ヒップホールドフラップＨＦの幅方向の広がりを効果的に抑えることができる。そのため、ヒップホールドフラップＨＦが意図せず包装シート２０からはみ出たり、包装シート２０のシール位置に重なってしまったりすることを防止できる。よって、ヒップホールドフラップＨＦの幅方向外側へ広がり部分を予め考慮して、包装シート２０の幅を大きく構成する必要がなくなり、コンパクトな個装吸収性物品を提供することができる。
【００６７】
別の言い方をすると、ズレ止め材９は、前後方向で見て、ヒップホールドフラップＨＦの外形が有する凸部１１の頂点１１Ｐの位置を跨るように配置されている。ここで、ヒップホールドフラップＨＦが凸部１１を複数有する形状である場合には、ズレ止め材９は、最も幅広の凸部の頂点がある位置を跨るように配置されていることが好ましい。これにより、第１幅方向折り線Ｌｘ１による折り曲げを、最も幅広の位置で行うことができ、ヒップホールドフラップＨＦの変形及び動きを抑えやすくなり、ヒップホールドフラップのＨＦの幅方向への広がりを効果的に抑えることができる。
【００６８】
図３Ｂに示す状態において、ズレ止め材９上に剥離シート３０を配置することができる。剥離シート１９は、ズレ止め材９のズレ止め機能（粘着性、高摩擦性等）を保護するためのシートであり、個装吸収性物品を開封し、吸収性物品１を使用する直前に剥がしてズレ止め材９を露出させることができるシートである。
【００６９】
剥離シート２０としては、ズレ止め材９が当接する側の面に離型処理が施された紙、ポリプロピレン、ポリエチレン等のポリオレフィン系フィルム、ポリエステル、ポリビニルアルコール等のフィルムや、不織布、ラミネート不織布（ポリラミ不織布）等を用いることができる。上記の離型処理は、シリコーン系樹脂、フッ素系樹脂、又は四フッ化エチレン系樹脂等の離型処理液を塗工するかスプレー塗布することによって形成することができる。なお、離型処理を施さなくても、ズレ止め材９から容易に剥離できるものであって且つズレ止め材９の粘着性や高摩擦性の低下を招かないものであれば、フィルムそのものであっても、不織布そのものであってもよい。
【００７０】
剥離シート２０は、ズレ止め材９を覆うように配置されているので、吸収性物品１を第１幅方向折り線Ｌｘ１で折った場合、剥離シート２０も、ヒップホールドフラップＨＦ及びズレ止め材９とともに折り曲げられる。この際、第１幅方向折り線Ｌｘ１の前後にわたって、剥離シート２０がヒップホールドフラップＨＦ、ＨＦを面状に押さえることができるので、ヒップホールドフラップＨＦ、ＨＦを、その平面形状を保持しながら前後方向に折り曲げることができる。これにより、ヒップホールドフラップＨＦ、ＨＦの幅方向への広がり（図１）を抑える上述の効果を一層向上させることができる。
【００７１】
剥離シート３０の形状は、図３Ｂに示すように長方形状とすることができるが、折り畳みの工程でズレ止め材９を覆うように配置できるものであれば、長方形状に限られず、楕円形等であってもよい。また、ウィング状フラップＷにズレ止め材が設けられている場合には、剥離シート３０は、ウィング状フラップＷに設けられたズレ止め材及びヒップホールドフラップＨＦのズレ止め材の両方を覆う１枚のシートであってもよい。
【００７２】
図３Ｃに、図３Ｂに示す第１幅方向折り線Ｌｘ１で吸収性物品１を折った後の状態を示す。この後、第１幅方向折り線Ｌｘ１より前方にある第２幅方向折り線Ｌｘ２にて、吸収性物品１の後方領域Ｒを表面シート３側に前方に向かって折り畳む。第２幅方向折り線Ｌｘ２は、体液排出口対応部Ａに含まれないことが好ましく、中央領域Ｍに含まれないことがより好ましい。
【００７３】
図３Ｄに、図３Ｃに示す第２幅方向折り線Ｌｘ２で吸収性物品１を折った後の状態を示す。図３Ｄの状態からさらに、第３幅方向折り線Ｌｘ３にて、前端を含む領域を表面シート３側に後方に向かって折り返す。その後、パウチテープ２５で、包装シート２０の前端を止めることができる。
【００７４】
図３Ｅに、図３Ｄに示す第３幅方向折り線Ｌｘ３にて折り畳み、個装吸収性物品１００となった状態を示す。この状態で、包装シート２０の両縁部を、ヒートシール、超音波シール等によってシールすることができる。本形態によれば、折り畳みの際にヒップホールドフラップＨＦ、ＨＦが幅方向にはみ出にくくなっているので、上記の包装シート２０の両縁部のシールの際に、意図せずヒップホールドフラップＨＦ、ＨＦをともにシールしてしまうことを防止することができる。
【００７５】
図示の形態では、吸収性物品１は、前後方向に略直交する３つの幅方向折り線に沿って前後方向に折られているが、幅方向に延びる折り線は２つであってもよいし、４つ以上であってもよい。これにより、細長形状の吸収性物品を、長さの短いコンパクトな形状にすることができるので、吸収性物品１の携帯や収納が容易になる。
【００７６】
（個装吸収性物品の変形例）
吸収性物品１の本体８には、さらに易屈曲部５０を形成することもでき、上述の折り畳み工程において第１幅方向折り線Ｌｘ１を、易屈曲部５０を通る線とすることができる。易屈曲部５０は、その周囲の領域に比して屈曲しやすくなっている部分である。易屈曲部５０は、裏面シート２、吸収体４、及び表面シート３の少なくとも１以上に形成することができ、例えば、裏面シート２、吸収体４、及び表面シート３の少なくとも１以上の厚みを薄くした部分とすることができる。以下、易屈曲部５０を備えた吸収性物品１について説明する。
【００７７】
図４に、一変形例として、圧搾溝１８を有する吸収性物品１を例示する。図４に示す吸収性物品は、図２Ａに示す吸収性物品と基本的には同じ構成を有するが、圧搾溝１８を有する点で異なっている。図４に示すように、圧搾溝１８は、前方領域Ｆ、中央領域Ｍ、及び後方領域Ｒにわたって複数形成されており、また前後方向中心線ＣＬを対象軸として線対称に形成されている。但し、圧搾溝１８は、必ずしも線対称に形成されていなくてもよい。図４に示すように、圧搾溝１８は、主として前方領域Ｆに設けられている前方圧搾溝１８ａと、主として中央領域Ｍから後方領域Ｒにかけて前後方向中心線ＣＬの両側に設けられた前後方向に延びる一対の中央圧搾溝１８ｂ、１８ｂと、後方領域Ｒの後端寄りに設けられた後方圧搾溝１８ｃとを含んでいてよい。
【００７８】
一対の中央圧搾溝１８ｂ、１８ｂは、後方にて互いに連結されている。この一対の中央圧搾溝１８ｂ、１８ｂの連結部１９においては、表面シート３と吸収体４とがともに圧搾され、厚みが小さくなっているので、連結部１９を含む位置では本体８が折れやすくなっている。本例では、折り畳み（図３Ａ〜図３Ｅ）の際に、第１幅方向折り線Ｌｘ１を、一対の中央圧搾溝１８ｂ、１８ｂの連結部１９を通るように折ることができる。これにより、第１幅方向折り線Ｌｘ１における折り返し（図３Ｂ）はより容易になり、また、折られた後も折られた状態を安定的に保持することが可能となる。
【００７９】
これにより、吸収性物品１の個装工程（折畳み工程）において、吸収性物品１が第１幅方向折り線Ｌｘ１にて折り返された後に、吸収性物品１に外部から振動や力がかかり、その振動や力がヒップホールドフラップＨＦ、ＨＦに伝わった場合でも、ヒップホールドフラップＨＦ、ＨＦは変形しにくく、一度折り畳まれた状態を維持することができる。そのため、ヒップホールドフラップＨＦ、ＨＦが幅方向外側に広がることを防止する効果を一層高めることができる。
【００８０】
一対の中央圧搾溝１８ｂ、１８ｂの連結部１９は、幅方向に延在する圧搾溝となっていてもよい。その場合、第１幅方向折り線Ｌｘ１を圧搾溝に沿わせることで、本体８はより一層折れやすくなり、折り曲げられた状態を一層安定的に保持することができる。
【００８１】
図５に、吸収性物品１の別の変形例を示す。図５に示す例も、図２Ａに示す吸収性物品１と同様の構成を有しているが、吸収体４に易屈曲部５０が設けられている点で、図２Ａの形態とは異なる。図５に示すように、本体８は、後方領域Ｒの後方において易屈曲部５０が形成されている。本例では、易屈曲部５０は、吸収体４を設けない部分としている。すなわち、吸収体４は、吸収体部分４１と、その後方に設けられた吸収体部分４２とに分割され、その間の部分が易屈曲部５０となっている。
【００８２】
図示の例では、易屈曲部５０は、全幅にわたって吸収体４が設けられていない部分となっているが、幅方向にわたって吸収体４がある部分とない部分とを交互に設けた構成としてもよい。
【００８３】
本例では、折り畳み（図３Ａ〜図３Ｅ）の際に、第１幅方向折り線Ｌｘ１を、易屈曲部５０を通るように、すなわち吸収体部分４１、４２間を通るように折ることができる。これにより、第１幅方向折り線Ｌｘ１における折返し（図３Ｂ）はより容易になり、また、折られた後も折られた状態を安定的に保持することが可能となる。
【００８４】
なお、図示の例では、易屈曲部５０は、吸収体のない部分としているが、吸収体の厚みを、その前方及び後方の部分よりも小さくした構成とすることもできる。
【符号の説明】
【００８５】
１  吸収性物品
２  裏面シート
３  表面シート
４  吸収体
７  サイド不織布
８  吸収性物品本体
９  ズレ止め材
１１  凸部
１１Ｐ  凸部の頂点
１８、１８ａ、１８ｂ、１８ｃ  圧搾溝
１９  中央圧搾溝の連結部
２０  包装シート
２５  パウチテープ
３０  剥離シート
４１、４２  吸収体部分
５０  易屈曲部
１００  個装吸収性物品
Ａ  体液排出口対応部
ＣＬ  前後方向中心線
Ｆ  前方領域
ＨＦ  ヒップホールドフラップ
Ｍ  中央領域
Ｒ  後方領域
Ｗ  ウィング状フラップ
【図１】
2020048947.tif 000003
【図２Ａ】
2020048947.tif 000004
【図２Ｂ】
2020048947.tif 000005
【図３Ａ】
2020048947.tif 000006
【図３Ｂ】
2020048947.tif 000007
【図３Ｃ】
2020048947.tif 000008
【図３Ｄ】
2020048947.tif 000009
【図３Ｅ】
2020048947.tif 000010
【図４】
2020048947.tif 000011
【図５】
2020048947.tif 000012